(57)【要約】【課題】  平板状態で形状が安定する弾性平板により構成された折畳み式帽子を提供する。【解決手段】  平板状態で形状が安定する部材で成形された前頭被覆用前側弾性平板１２及び後頭被覆用後側弾性平板１３を有し、前側弾性平板１２の後辺部と後側弾性平板１３の前辺部は折曲げ部１５で連結され、前側弾性平板１２と後側弾性平板１３とが折曲げ部１５で折り曲げられると扁平状態になり、前側弾性平板１２と後側弾性平板１３が折曲げ部１５を介して湾曲しながら拡げられると展開状態になり、前側弾性平板１２及び後側弾性平板１３における展開状態時に、側頭に対面する個所を相互に、緊張状態にされたときの張力で繋留する繋留体２３と、該繋留体２３を緊張状態に保持する機能及び該保持を解除する機能をもつ保持・解除機構２７とを有する展開状態保持手段２０を備えたことを特徴とする。【選択図】  図１
2008255548.tif 000002
【特許請求の範囲】
【請求項１】
平板状態で形状が安定する部材で成形された前頭被覆用の前側弾性平板と、平板状態で形状が安定する部材で成形された後頭被覆用の後側弾性平板とを有し、前記前側弾性平板の後辺部と前記後側弾性平板の前辺部は、折曲げ部で連結され、前記前側弾性平板と前記後側弾性平板とが弾性力により平板状態となると共に、前記折曲げ部で折り曲げられることにより扁平状態になる一方、
前記折曲げ部の両側頭に対面する個所を、互いに接近させることにより、前記前側弾性平板と前記後側弾性平板とを平板状態から弾性力に抗して湾曲状態として前記折曲げ部を介して展開状態とし、該展開状態を保持する展開状態保持手段を備えたことを特徴とする折畳み式帽子。
【請求項２】
前記展開状態保持手段は、前記展開状態時に側頭に対面する個所を相互に、緊張状態にされたときの張力で前記展開状態に繋留する繋留体と、該繋留体を前記緊張状態に保持する機能及び該保持を解除する機能をもつ保持・解除機構とを備えたことを特徴とする請求項１に記載の折畳み式帽子。
【請求項３】
前記保持・解除機構は、レバーの倒し操作による牽引で前記繋留体が緊張状態に保持され、又同レバーの起し操作で前記保持が解除されることを特徴とする請求項２に記載の折畳み式帽子。
【請求項４】
前記保持・解除機構は、前記繋留体に擦り合い個所を有し、この擦り合い個所に生ずる摩擦力で前記繋留体が緊張状態に保持され、又前記前側弾性平板及び前記後側弾性平板の折畳み操作で前記保持が解除されることを特徴とする請求項２に記載の折畳み式帽子。
【請求項５】
前記展開状態保持手段は、帽子内部に前記折曲げ部に沿って配設される係止部材を有し、該係止部材の両端部に係止部を形成すると共に、前記折曲げ部の前記展開状態時に側頭に対面する個所に、前記係止部が係止される被係止部を形成し、帽子外部から外力を作用させて、前記展開状態としたときに、前記係止部が前記被係止部を乗り越えて係止するようにしたことを特徴とする請求項１に記載の折畳み式帽子。
【請求項６】
前記展開状態保持手段は、前記折曲げ部の前記展開状態時に側頭に対面する個所に、前記係止部が、前記帽子内部から外部に突出される開口部が形成され、該開口部の下側周縁部側、又は上側周縁部側に前記被係止部が形成され、該被係止部に、前記被係止部に係止されるように形成されたことを特徴とする請求項５に記載の折畳み式帽子。
【請求項７】
前記折曲げ部は、前記前側弾性平板の後辺と前記後側弾性平板の前辺が、中央縁と該中央縁の左右両側に連設された外側端下がりの傾斜縁を有する張り出し形状にされ、かつ前記前側弾性平板の後辺と前記後側弾性平板の前辺が折曲可能に連結されることで設けられたことを特徴とする請求項１乃至６の何れか一つに記載の折畳み式帽子。
【請求項８】
前記折曲げ部は、前記前側弾性平板の後辺部と前記後側弾性平板の前辺部の間に折曲可能な連結部材が介在して設けられていることを特徴とする請求項１乃至６の何れか一つに記載の折畳み式帽子。
【請求項９】
前記連結部材は、帯状体を呈し、その長手方向の中央部分の両側に折曲げ部が設けられたことを特徴とする請求項８に記載の折畳み式帽子。
【請求項１０】
前記連結部材の長手方向の両側に、前記前側弾性平板の後辺部に重ねて止着する止着部及び前記後側弾性平板の前辺部に重ねて止着する止着部が設けられたことを特徴とする請求項８又は９に記載の折畳み式帽子。
【請求項１１】
請求項１乃至１０の何れか一つに記載の折畳み式帽子内部にハンモック及びヘッドバンドを有する内装部材が配設されたことを特徴とする折畳み式帽子。
【請求項１２】
前記ハンモックは、頭頂部を抑える頭頂抑え部と、該頭頂抑え部から複数延長された延長片部とを有し、該各延長片部の先端部が前記前側弾性平板及び前記後側弾性平板に取付軸により回動自在に取り付けられる一方、
前記ヘッドバンドは、頭部前側を押さえる合成樹脂製の前側バンド部と、頭部後側を押さえる合成樹脂製の後側バンド部とが連結部を介して折り畳み可能に設けられ、該前側バンド部及び後側バンド部が前記延長片部の中間部に連結軸を介して回動自在に設けられたことを特徴とする請求項１１に記載の折畳み式帽子。
【請求項１３】
前記前側バンド部は、長さ調整自在に設けられ、回転されることにより長さ調整を行うダイヤル部が、前面に設けられたことを特徴とする請求項１２に記載の折畳み式帽子。
【発明の詳細な説明】
【技術分野】
【０００１】
この発明は、平板状態で形状が安定する弾性平板により構成された折畳み式帽子に関する。
【背景技術】
【０００２】
従来、不使用時、携帯時又は物流の際に嵩張らないようにするために折畳み式にされた帽子としては、特許文献１に記載されているものがあった。
【０００３】
特許文献１には、「一枚の薄板体（１）の中央部分に頭が入る大きさの開口部を設け、開口部の両側に開口部から少し離れた位置に湾曲した曲線状折り目（３）をつけ、該薄板体（１）を開口部の中心部を横切る中心折り目（２）で二つ折りにし、重なった端部の糊代（６）の部分を接合し、そうした後、両側の、湾曲した曲線状折り目（３）の部分をそとに張り出すように折り曲げて、二つ折りにされた中心折り目（２）を伸展することにより立体形状の構造体とし、開口部を頭に被せることにより帽子としての働きをする折り畳み式帽子」が記載されている。
【特許文献１】実開平７−４３４５０号公報
【発明の開示】
【発明が解決しようとする課題】
【０００４】
しかしながら、特許文献１に記載された考案は、一枚の薄板体の中央部分に設けられた頭が入る大きさの開口部から少し離れた位置に湾曲した曲線状折り目をつけ、この曲線状折り目を折ることにより展開状態（着用可能状態）に保形する構成にされていたために、展開状態に保形されているときにあって、曲線状折り目を非折り状態にする外力、或いはそれよりも大きい外力を受けたときには、前記曲線状折り目が、前記展開状態（着用可能状態）を維持する保形機能を失した状態を起し易いものであった。したがって、平板状態で形状が安定する弾性平板で構成される折畳み式帽子の提供には構造的に不適当であるのみならず、一枚の薄板体（１）製であるので、他のものとの接触や衝突で変形や破損を惹起し易く、危険を避けるのには向いていない。
【０００５】
この発明は、前記実情に鑑み、平板状態で形状が安定する弾性平板で構成された、危険を避けるのに向いている新規の折畳み式帽子を提供することを目的とする。
【課題を解決するための手段】
【０００６】
上記目的を達成するために、請求項１に記載の発明は、平板状態で形状が安定する部材で成形された前頭被覆用の前側弾性平板と、平板状態で形状が安定する部材で成形された後頭被覆用の後側弾性平板とを有し、前記前側弾性平板の後辺部と前記後側弾性平板の前辺部は、折曲げ部で連結され、前記前側弾性平板と前記後側弾性平板とが弾性力により平板状態となると共に、前記折曲げ部で折り曲げられることにより扁平状態になる一方、前記折曲げ部の両側頭に対面する個所を、互いに接近させることにより、前記前側弾性平板と前記後側弾性平板とを平板状態から弾性力に抗して湾曲状態として前記折曲げ部を介して展開状態とし、該展開状態を保持する展開状態保持手段を備えた折畳み式帽子としたことを特徴とする。
【０００７】
請求項２に記載の発明は、請求項１に記載の構成に加え、前記展開状態保持手段は、前記展開状態時に側頭に対面する個所を相互に、緊張状態にされたときの張力で前記展開状態に繋留する繋留体と、該繋留体を前記緊張状態に保持する機能及び該保持を解除する機能をもつ保持・解除機構とを備えたことを特徴とする。
【０００８】
請求項３に記載の発明は、請求項２に記載の構成に加え、前記保持・解除機構は、レバーの倒し操作による牽引で前記繋留体が緊張状態に保持され、又同レバーの起し操作で前記保持が解除されることを特徴とする。
【０００９】
請求項４に記載の発明は、請求項２に記載の構成に加え、前記保持・解除機構は、前記繋留体に擦り合い個所を有し、この擦り合い個所に生ずる摩擦力で前記繋留体が緊張状態に保持され、又前記前側弾性平板及び前記後側弾性平板の折畳み操作で前記保持が解除されることを特徴とする。
【００１０】
請求項５に記載の発明は、請求項１に記載の構成に加え、前記展開状態保持手段は、帽子内部に前記折曲げ部に沿って配設される係止部材を有し、該係止部材の両端部に係止部を形成すると共に、前記折曲げ部の前記展開状態時に側頭に対面する個所に、前記係止部が係止される被係止部を形成し、帽子外部から外力を作用させて、前記展開状態としたときに、前記係止部が前記被係止部を乗り越えて係止するようにしたことを特徴とする。
【００１１】
請求項６に記載の発明は、請求項５に記載の構成に加え、前記展開状態保持手段は、前記折曲げ部の前記展開状態時に側頭に対面する個所に、前記係止部が、前記帽子内部から外部に突出される開口部が形成され、該開口部の下側周縁部側、又は上側周縁部側に前記被係止部が形成され、該被係止部に、前記被係止部に係止されるように形成されたことを特徴とする。
【００１２】
請求項７に記載の発明は、請求項１乃至６の何れか一つに記載の構成に加え、前記折曲げ部は、前記前側弾性平板の後辺と前記後側弾性平板の前辺が、中央縁と該中央縁の左右両側に連設された外側端下がりの傾斜縁を有する張り出し形状にされ、かつ前記前側弾性平板の後辺と前記後側弾性平板の前辺が折曲可能に連結されることで設けられたことを特徴とする。
【００１３】
請求項８に記載の発明は、請求項１乃至６の何れか一つに記載の構成に加え、前記折曲げ部は、前記前側弾性平板の後辺部と前記後側弾性平板の前辺部の間に折曲可能な連結部材が介在して設けられていることを特徴とする。
【００１４】
請求項９に記載の発明は、請求項８に記載の構成に加え、前記連結部材は、帯状体を呈し、その長手方向の中央部分の両側に折曲げ部が設けられたことを特徴とする。
【００１５】
請求項１０に記載の発明は、請求項８又は９に記載の構成に加え、前記連結部材の長手方向の両側に、前記前側弾性平板の後辺部に重ねて止着する止着部及び前記後側弾性平板の前辺部に重ねて止着する止着部が設けられたことを特徴とする。
【００１６】
請求項１１に記載の発明は、請求項１乃至１０の何れか一つに記載の折畳み式帽子内部にハンモック及びヘッドバンドを有する内装部材が配設されたことを特徴とする。
【００１７】
請求項１２に記載の発明は、請求項１１に記載の構成に加え、前記ハンモックは、頭頂部を抑える頭頂抑え部と、該頭頂抑え部から複数延長された延長片部とを有し、該各延長片部の先端部が前記前側弾性平板及び前記後側弾性平板に取付軸により回動自在に取り付けられる一方、前記ヘッドバンドは、頭部前側を押さえる合成樹脂製の前側バンド部と、頭部後側を押さえる合成樹脂製の後側バンド部とが連結部を介して折り畳み可能に設けられ、該前側バンド部及び後側バンド部が前記延長片部の中間部に連結軸を介して回動自在に設けられたことを特徴とする。
【００１８】
請求項１３に記載の発明は、請求項１２に記載の構成に加え、前記前側バンド部は、長さ調整自在に設けられ、回転されることにより長さ調整を行うダイヤル部が、前面に設けられたことを特徴とする。
【発明の効果】
【００１９】
請求項１に記載の発明によれば、平板状態で形状が安定する部材で成形された前頭被覆用の前側弾性平板と、平板状態で形状が安定する部材で成形された後頭被覆用の後側弾性平板とを有し、前記前側弾性平板の後辺部と前記後側弾性平板の前辺部は、折曲げ部で連結され、前記前側弾性平板と前記後側弾性平板とが弾性力により平板状態となると共に、前記折曲げ部で折り曲げられることにより扁平状態になる一方、前記折曲げ部の両側頭に対面する個所を、互いに接近させることにより、前記前側弾性平板と前記後側弾性平板とを平板状態から弾性力に抗して湾曲状態として前記折曲げ部を介して展開状態とし、該展開状態を保持する展開状態保持手段を備えたため、前記保持手段の保持機能により展開状態に保持され、該保持機能が解除されたときには平板状態で形状が安定する部材の特性により自然に二つ折りの扁平な形にされる折畳み式の、危険を避けるのに向いている帽子を容易に提供できる。
【００２０】
しかも、前記折畳み式帽子は、前記前側弾性平板と前記後側弾性平板とを前記折曲げ部を介して湾曲させながら拡げることで展開状態にすると共に、展開状態保持手段の保持機能で繋留状態にする操作を行うことで全体を着用可能な状態に容易に、かつ確実にでき、又、展開状態保持手段の解除機能で繋留体を解除すれば前記前側弾性平板及び前記後側弾性平板をその平板状態に戻る性質で扁平の折畳みに戻すことが容易に、かつ確実にできる。
【００２１】
又、前記前頭被覆用の前側弾性平板及び後頭被覆用の後側弾性平板が平板状態で形状が安定する部材により成形されているので、変形が起こりにくく、製品管理が容易であるから防災の備え用品に向いている。特に、容易に二つ折りの扁平状態になり、薄型にすることができるので、狭いスペース、例えば学校等では生徒自身の机の中とか机の横に掛けて置く等の、不体裁にならない状態で格納しておく方法が可能になる。このように極近い身近に備え置くことができれば、地震等のような時間を争う事態での対応をよくすることができ、被害を最小することができる。この場合、取り出して直ぐに使える状態が、前記形状の安定特性により長期に亘って保持されるから、防災の備え用品の管理が容易になる。
【００２２】
又、前記前側弾性平板と前記後側弾性平板は、前記折曲げ部を介して湾曲しながら拡げられて展開状態になると、該展開状態が展開状態保持手段により保持され、折畳みの方向と反対の方向の力を有することになるので、着用中には閉じようとすることがなく、落下物が当るなどの危険が懸念される被災時での着用に適している。しかも繋留体は、紐体、折曲可能部を有する帯状体で良いので、安全である。
【００２３】
請求項２に記載の発明によれば、前記展開状態保持手段は、前記展開状態時に側頭に対面する個所を相互に、緊張状態にされたときの張力で前記展開状態に繋留する繋留体と、該繋留体を前記緊張状態に保持する機能及び該保持を解除する機能をもつ保持・解除機構とを備えたため、容易に展開状態と折畳み状態にすることができる。
【００２４】
請求項３に記載の発明によれば、前記展開状態保持手段は、レバーの倒し操作で前記繋留体が緊張状態に保持され、又同レバーの起し操作による牽引により前記保持が解除される構成であるので、折畳み操作及び展開操作を容易にできるのみならず操作が分かり易く、前記展開状態保持手段を展開保持の状態にする操作、又はその解除操作が容易にできる。
【００２５】
請求項４に記載の発明によれば、前記保持・解除機構は、前記繋留体に擦り合い個所を有し、この擦り合い個所に生ずる摩擦力で前記繋留体が緊張状態に保持され、又前記前側弾性平板及び前記後側弾性平板の折畳み操作で前記保持が解除されることを特徴としているので、前記保持・解除機構を展開保持の状態にする操作、又はその解除操作をする使用者は、展開に要する力、又は折畳みに要する力を加えて手放すだけの操作、つまり外したり掛けたりする等の煩わしい操作を行うこと無しに、前記各操作ができるから便利である。
【００２６】
請求項５に記載の発明によれば、前記展開状態保持手段は、帽子内部に前記折曲げ部に沿って配設される係止部材を有し、該係止部材の両端部に係止部を形成すると共に、前記折曲げ部の前記展開状態時に側頭に対面する個所に、前記係止部が係止される被係止部を形成し、帽子外部から外力を作用させて、前記展開状態としたときに、前記係止部が前記被係止部を乗り越えて係止するようにしたことを特徴としているので、極めて簡単な構造で、かつ、帽子外部から外力を作用させるだけで、容易に展開状態とすることができる。
【００２７】
請求項６に記載の発明によれば、前記展開状態保持手段は、前記折曲げ部の前記展開状態時に側頭に対面する個所に、前記係止部が、前記帽子内部から外部に突出される開口部が形成され、該開口部の下側周縁部側、又は上側周縁部側に前記被係止部が形成され、該被係止部に、前記被係止部に係止されるように形成されたことを特徴としているので、係止部材を設け、且つ、開口部を形成するだけの極めて簡単な構造とすることができる。
【００２８】
請求項７に記載の発明によれば、前記折曲げ部は、前記前側弾性平板の後辺と前記後側弾性平板の前辺が、中央縁と該中央縁の左右両側に連設された外側端下がりの傾斜縁を有する張り出し形状にされ、かつ前記前側弾性平板の後辺と前記後側弾性平板の前辺が折曲可能に連結されることで設けられているので、展開状態にされたときには、前頭被覆部分が前下がりの傾斜になり、後頭被覆部分が後下がりの傾斜になると共に、これら前頭被覆部分、後頭被覆部分の連結個所すなわち折曲げ部には、折曲げ水平部と、該折曲げ水平部から連続する外側端下がりの折曲げ傾斜部とが形成されて、全体的に頭の形に馴染んだ適合する形になるから、頭への装着感が良好な製品を提供できるのみならず、該形になることで硬性を向上させることができる。更に前記折曲げ水平部をして、頭頂部分が円錐形に尖らないようにして前記頭の形に馴染んで適合させる機能、及び展開操作を容易かつスムーズにさせる機能等を得ることができる。
【００２９】
更に、展開状態保持手段の保持機能が解除された場合、すなわち外力を受けていない状態になったときには、前記前側弾性平板の後辺と前記後側弾性平板の前辺が張り出し形状であることにより、二つ折りの畳み状態への戻りが即座に自動的に行われるから、使い勝手がよく、折畳まれない状態で格納されてしまうというような問題を有しないものを提供ができる。
【００３０】
請求項８に記載の発明によれば、前記折曲げ部は、前記前側弾性平板の後辺部と前記後側弾性平板の前辺部の間に折曲可能な連結部材が介在して設けられていることを特徴とするので、折曲可能な連結部材により展開作動、折畳み作動がスムーズに行われるから、展開操作、折畳み操作が容易にできる。しかも、前記連結部材によれば、前記前側弾性平板の後辺と前記後側弾性平板の前辺とを連結する連結工程の簡易化ができる。更に、前記前側弾性平板と前記後側弾性平板と連結部材とを各々パーツとして大量に準備する工程、前記前側弾性平板と前記後側弾性平板を前記連結部材で連結する工程、前記展開状態保持手段を設ける工程が、所謂分業で可能になり、生産性をよくすることができる。又、前記連結部材は、前記前側弾性平板、前記後側弾性平板と異なる色にすることが可能、かつ自由であるから、色やデザインで判別できる製品が提供し易くなる。
【００３１】
請求項９の発明によれば、前記連結部材は、帯状体を呈し、その長手方向の中央部分の両側に折曲げ部が設けられたことを特徴とするので、前記連結部材の長手方向の中央部分により、完成品にはベルト状ラインが形成される。このベルト状ラインは、堅牢性及び美粧性を高めることができ、かつ前記展開状態保持手段、ハンモックの所謂納まりを良くすることができる。
【００３２】
請求項１０の発明によれば、前記連結部材の長手方向の両側に、前記前側弾性平板の後辺部に重ねて止着する止着部及び前記後側弾性平板の前辺部に重ねて止着する止着部が設けられたので、前記各側の止着部に前側弾性平板及び後側弾性平板を止着する製作作業を行うことで容易に完成できるのみならず、たとえば連結部材に前記展開状態保持手段を装備したのち、前記前側止着部に前側弾性平板の後辺部を止着する工程、及び前記後側止着部に後側弾性平板の前辺部を止着する工程を行って完成品を得るというようなことが可能になるから、より製造の簡易化、生産性の向上等を図れる。しかも、前記連結部材は、その長尺材を予め安く大量に用意し、該長尺材から必要な寸法ずつを切り取りながら、或いは切り取る前に前記展開状態保持手段を装備することを可能にするから、該装備作業の簡易化、製造コストの低減化、製造工程の簡略化に好適である。
【００３３】
請求項１１に記載の発明によれば、請求項１乃至１０の何れか一つに記載の折畳み式帽子内部にハンモック及びヘッドバンドを有する内装部材が配設されたことを特徴とするので、該ハンモックの使用により、確実にして、かつ強固な着用が可能になるから、折畳み式帽子が奏する効果を備えた、より危険を避けるのに向いている製品を容易に提供することができる。
【００３４】
請求項１２に記載の発明によれば、前記ハンモックは、頭頂部を抑える頭頂抑え部と、該頭頂抑え部から複数延長された延長片部とを有し、該各延長片部の先端部が前記前側弾性平板及び前記後側弾性平板に取付軸により回動自在に取り付けられる一方、前記ヘッドバンドは、頭部前側を押さえる合成樹脂製の前側バンド部と、頭部後側を押さえる合成樹脂製の後側バンド部とが連結部を介して折り畳み可能に設けられ、該前側バンド部及び後側バンド部が前記延長片部の中間部に連結軸を介して回動自在に設けられたことを特徴とするので、展開状態では、頭部を確実に押さえることができると共に、折畳み状態では、ヘッドバンドを容易に折り畳むことができ、帽子全体としてより扁平に折り畳むことができる。
【００３５】
請求項１３に記載の発明によれば、前記前側バンド部は、長さ調整自在に設けられ、回転されることにより長さ調整を行うダイヤル部が、前面に設けられたことを特徴とするので、ダイヤル部の操作性が良好である。
【発明を実施するための最良の形態】
【００３６】
[発明の実施の形態１]
【００３７】
以下、この発明の実施の形態１について説明する。
【００３８】
図１乃至図８は、この発明の実施の形態１を示す。
【００３９】
まず、構成を簡単に説明すると、この発明の主要部である折畳み式帽子本体１０は、図１乃至３に示すように、前辺に連続して庇部１１を有する一枚板状の前頭被覆用の前側弾性平板１２と、一枚の板状の後頭被覆用の後側弾性平板１３とを有し、前記前側弾性平板１２の後辺１２aは、水平状の中央縁１２axと該中央縁１２axの左右両側に連設された外側端下がりの傾斜縁１２ay、１２azとを有する張り出し形状にされ、又、前記後側弾性平板１３の前辺１３aは、水平状の中央縁１３axと該中央縁１３axの左右両側に連設された外側端下がりの傾斜縁１３ay、１３azとを有する張り出し形状にされ、前記前側弾性平板１２の後辺１２aと前記後側弾性平板１３の前辺１３aとは、次に述べる折曲げ部１５で連結されている。なお、前記中央縁１２ax及び中央縁１３axは、水平状にされているが、緩やかなカーブ状にすることができるし、同様に、前記傾斜縁１２ay、１２az及び傾斜縁１３ay、１３azを緩やかなカーブ状にすることができる。要するに、前記前側弾性平板１２の後辺１２a及び前記後側弾性平板１３の前辺１３aは、その中央部分が張り出し、該中央部分に連続する両端側部分が傾斜した形状を呈するようにされていれば足りる。
【００４０】
これら前側弾性平板１２、後側弾性平板１３は、平板状態で形状が安定する部材で成形されている。該部材の材質は、例えば、ポリプロピンである。
【００４１】
前記前側弾性平板１２と前記後側弾性平板１３は、有色不透明、有色透明、無色透明にすることができる。有色透明、無色透明であれば、避難時に前方及び側方に視野が広がるので、有効である。
【００４２】
又、前記折曲げ部１５は、長手方向の中央部分に該中央部分に沿う状態で折線部１６を有し、かつ両縁側部分に止着片部１７a、１７bを有する帯状の連結部材１８を用いて構成されている。
【００４３】
前記連結部材１８は、前側弾性平板１２の張り出し形状後辺１２aと後側弾性平板１３の張り出し形状前辺１３aとの間に位置した状態にされ、かつ前記止着片部１７a、１７bが前記前側弾性平板１２の水平状中央縁１２ax及び外側端下がりの傾斜縁１２ay、１２azの内面と後側弾性平板１３の水平状中央縁１３ax及び外側端下がりの傾斜縁１３ay、１３azの内面に重合された状態で止着されている。したがって、連結部材１８は、前方又は後方から見た場合、前側弾性平板１２の張り出し形状後辺１２a及び後側弾性平板１３の張り出し形状前辺１３aに沿った形状になる。
【００４４】
つまり、前記折曲げ部１５には、図３に示すように、前記のように取り付けられた連結部材１８により、折曲げ水平部１５aと、該折曲げ水平部１５aの両端から連続する左右の折曲げ傾斜部１５b、１５cとが形成される。
【００４５】
そして、前記折曲げ部１５の折曲げ水平部１５a、折曲げ傾斜部１５b、１５cが折り曲げられると、図２及び図３に示すように前記前側弾性平板１２と前記後側弾性平板１３とは二枚重ねの扁平状態になり、又前記左右の折曲げ傾斜部１５b、１５cが接近させられて湾曲しながら拡げられると、図４乃至図８に示すように前記前側弾性平板１２と前記後側弾性平板１３とは展開状態になる。
【００４６】
すなわち、前記折畳み式帽子本体１０は、展開状態にされたときには、前側弾性平板１２が前下がりの傾斜になり、後側弾性平板１３が後下がりの傾斜になると共にこれら前側弾性平板１２、後側弾性平板１３を連結する折曲げ部１５には、折曲げ水平部１５aと、該折曲げ水平部１５aの両端から連続する左右の折曲げ傾斜部１５b、１５cとが形成されて、全体的に頭の形に適合する形になるから、頭への装着感が良好な製品を提供できるのみならず、該形になることで硬性を向上させることができる。前記折曲げ水平部１５aは、これをして、頭頂部分が円錐形に尖らないようにして前記頭の形に馴染んで適合させる機能、及び展開操作を容易かつスムーズにさせる機能等を得ることができる。
【００４７】
又、保持機能が次に述べる展開状態保持手段２０により解除された場合、すなわち外力を受けていない状態になったときには、前記前側弾性平板１２の後辺１２aと前記後側弾性平板１３の前辺１３aとが張り出し形状であることにより、二つ折りの畳み状態への戻りが即座に自動的に行われるから、使い勝手がよく、折畳まれない状態で格納されてしまうというような問題を有しないものを提供ができる。
【００４８】
さらに、前記折畳み式帽子本体１０には、次のような、展開状態保持手段２０が装備されている。
【００４９】
この展開状態保持手段２０は、図８に示すように、前記前側弾性平板１２及び前記後側弾性平板１３における展開状態時に側頭に対面する個所２１ａ，２１ｂを相互に、緊張状態にされたときの張力で前記展開状態に繋留するための繋留用紐体２３と、この繋留用紐体２３を掛け回すための左右の通し孔２４a、２４bと、端止め部材２５と、案内部材２６と、保持・解除機構２７により構成されている。
【００５０】
そして、前記繋留用紐体２３は、前記通し孔２４a、２４bと、前記端止め部材２５と、前記案内部材２６と、前記保持・解除機構２７により、後述する後付のハンモック３６の上の空間２２に張設されている。
【００５１】
すなわち、この繋留用紐体２３は、前記左右の通し孔２４a、２４bと、端止め部材２５と、案内部材２６と、保持・解除機構２７により前記緊張状態にされたときにはその張力で前記折畳み式帽子本体１０を展開状態に保持し、緊張が解除されたときには折畳み作動を許容するようにされて、前記折畳み式帽子本体１０に装備されている。
【００５２】
又、前記左右の通し孔２４a、２４bは、前記左右の折曲げ傾斜部１５b、１５cの上端寄り個所に設けられ、左方の通し孔２４aには案内部材２６が設けられて繋留用紐体２３が挿通され、右方の通し孔２４bには前記端止め部材２５が挿通されている。
【００５３】
又、前記端止め部材２５は、抜止め用の膨大頭部２８と、紐体連結用の輪状部２９をもち、この輪状部２９には前記繋留用紐体２３の基端部分が二つ折りにされて結着されている。なお、この結着の方法は、前記二つ折りの部分２３aを長短調節できる結び方にされているが、該結び方は汎用の方法であるので、ここでは、その詳細説明は省略する。
【００５４】
又、前記保持・解除機構２７は、前記左方の折曲げ傾斜部１５bの中間のやや下方位置に固定された取付台３０とこれに支点軸３１を介して起伏自在に取り付けられたレバー３２とにより構成されている。レバー３２の中間位置には前記繋留用紐体２３の先端部３３が連結環３４を介して連結されている。
【００５５】
この保持・解除機構２７は、レバー３２の倒し操作（下方向きに倒す操作）で前記繋留紐体２３を緊張状態に保持され、又同レバー３２の起し操作（上方向きに倒す操作）で前記保持を解除される。
【００５６】
すなわち、前記レバー３２に倒し操作（下方向きにする操作）が施されたときには、図４に示すように、連結環３４を介して前記繋留用紐体２３の先端部３３が下方に移動されるので、該繋留用紐体２３は牽引されて前記緊張状態になると共に、前記レバー３２は該緊張状態にされた前記繋留用紐体２３により、図４に示すように、死点を越えた位置で左方の折曲げ傾斜部１５bにより係止されるので、結局、前記保持・解除機構２７により前記展開状態が保持される。又、前記レバー３２に起し操作（上方向きにする操作）が施されると、これに伴ない、連結環３４を介して前記繋留用紐体２３の先端部３３が上方に移動されるので、該繋留用紐体２３は弛められて折畳み作動が許容される。
【００５７】
なお、前記案内部材２６、端止め部材２５、取付台３０及びレバー３２の材質は、ポリプロピンであるが、合成樹脂材料又は他の材料であってもよい。
【００５８】
前記実施の形態１の折畳み式帽子は、図２及び図３に示すような折畳み状態において、左の曲げ傾斜部１５bの下端部と右の折曲げ傾斜部１５cの下端部とを互いに近づく方向に同時に押すことで前側弾性平板１２及び前記後側弾性平板１３を湾曲の状態にしてから、この状態においてレバー３２を下方に倒して繋留用紐体２３を牽引することで該繋留用紐体２３を緊張可能の状態にすると共に前記押し操作を解放する。すると、前側弾性平板１２、前記後側弾性平板１３は平板状態に戻ろうとするが、この戻ろうとすることで繋留用紐体２３が更に緊張され、結局、該前側弾性平板１２及び前記後側弾性平板１３は、湾曲状態すなわち展開の状態に保持されて帽子の形態を呈することになる。
【００５９】
又、図４乃至図８に示すような展開状態になっている場合において、左の曲げ傾斜部１５bの下端部と右の折曲げ傾斜部１５cの下端部とを互いに近づく方向に同時に軽く押すことでレバー３２を動き易い状態にしてから、該レバー３２を上方に起して前記繋留用紐体２３への牽引を解除することで該繋留用紐体２３の緊張を弛めると、前側弾性平板１２及び前記後側弾性平板１３は、自身が有している平板状態に戻ろうとする力で自動的に折畳み状態に戻る。
【００６０】
すなわち、前記繋留用紐体２３の緊張状態保持は、前記レバー３２の倒し操作で行い、又前記保持の解除は同レバー３２の起し操作で行うようにしてあるので、前記折畳み操作及び前記展開操作を容易にできるのみならず操作が分かり易く、展開保持の状態にする操作、又はその解除操作が容易にできる。
【００６１】
前記の通りあるので、この実施の形態１によれば、前記保持・解除機構２７の保持機能により展開状態に保持され、該保持機能が解除されたときには平板状態で形状が安定する部材の特性により自然に二つ折りの扁平な形にされる折畳み式の、危険を避けるのに向いている帽子を容易に提供できる。
【００６２】
しかも、この実施の形態１は、前記前側弾性平板１２と前記後側弾性平板１３とを前記折曲げ部１５を介して湾曲させながら拡げることで展開状態にすると共に、前記繋留用紐体２３を展開状態保持手段２０の保持機能で繋留状態にする操作を行うことで全体を着用可能な状態に容易に、かつ確実にでき、又、展開状態保持手段２０の解除機能で繋留用紐体２３を解除すれば前記前側弾性平板１２及び前記後側弾性平板１３をその平板状態に戻る性質で扁平の折畳みに戻すことが容易に、かつ確実にできる。
【００６３】
又、前記前頭被覆用の前側弾性平板１２及び後頭被覆用の後側弾性平板１３が、平板状態で形状が安定する部材により成形されているので、変形が起こりにくく、製品管理が容易であるから防災の備え用品に向いている。
【００６４】
更に、前記前側弾性平板１２と前記後側弾性平板１３は、前記折曲げ部１５を介して湾曲しながら拡げられて展開状態になると、該展開状態が展開状態保持手段２０により保持され、折畳みの方向に反する力を有することになるので、着用中には閉じようとすることがなく、落下物が当るなどの危険が懸念される被災時での着用に適し、安全性を確保できる。
【００６５】
又、前記連結部材１８の長手方向の両側には、止着片部１７a、１７bを有しているので、たとえば前記連結部材１８に前記展開状態保持手段２０を装備したのち、前記止着片部１７a、１７bに前側弾性平板１２の後辺部１２aを止着する工程及び後側弾性平板１３の前辺部１３aを止着する工程を行って完成品を得るというようなことが可能になるから、より製造の簡易化、生産性の向上等を図れる。しかも、前記連結部材１８は、その長尺材を予め安く大量に用意し、該長尺材から必要な寸法ずつを切り取りながら、或いは切り取る前に前記展開状態保持手段２０を装備することを可能にするから、該装備作業の簡易化、製造コストの低減化、製造工程の簡略化に好適である。
【００６６】
そして更に、前記折畳み式帽子本体１０には、頭部に対する衝撃を緩和するために、図７に示すように、例えば、公知のヘルメット用の顎紐３６a付きハンモック３６が、該ハンモック３６の上に充分な前記空間２２を形成される状態で内装されている。
【００６７】
前記ハンモック３６は、前記前側弾性平板１２、前記後側弾性平板１３における裾縁寄り部の内側に四方配置になるようにして、前以て設けられた掛止ブラケット３８の差込み溝（図示せず）に、前記ハンモック３６が有している差込み片３９を差し込むことで取り付けられている。なお、前記ハンモック３６は、顎紐無しのハンモックでもよい。
【００６８】
したがって、前側弾性平板１２と後側弾性平板１３とを折曲げ部１５で連結し、それに展開状態保持手段２０及びハンモック取付手段（掛止ブラケット３８）を取り付けれるという単純な作業工程でハンモック付きの折畳み式帽子が容易に提供できる。
【００６９】
[発明の実施の形態２]
【００７０】
以下、この発明の実施の形態２について説明する。
【００７１】
図９乃至図１３は、この発明の実施の形態２を示す。
【００７２】
この発明の実施の形態２は、要するに、符号２７で示す展開状態保持手段の構成、及び符号４１で示す折曲げ部の構成が、前記実施の形態１と異なっているものであり、他は同様であるので、同一の部位には同じ符号を付し、説明は省略する。
【００７３】
すなわち、保持・解除機構２７は、全体が折畳み状態にされたときの形態を、より薄型化及びスマート化するために、連結環３４を連結軸３４aで連結された棒状体３４aに変えると共に、案内部材２６を一体に設けた構成にされている。
また、前記折曲げ部４１は、長手方向の中央部分４２の両側に止着片部４４a、４４bを有する連結部材４５を用いて構成されている。
【００７４】
前記連結部材４５は、前記中央部分４２が前記実施の形態１に記載した、前側弾性平板１２の張り出し形状後辺１２aと後側弾性平板１３の張り出し形状前辺１３aとの間に位置した状態にされ、かつ前記止着片部４４a、４４bが前記前側弾性平板１２の水平状中央縁１２ax及び外側端下がりの傾斜縁１２ay、１２azの内面と後側弾性平板１３の水平状中央縁１３ax及び外側端下がりの傾斜縁１３ay、１３azの内面に重合された状態で止着されている。
【００７５】
すなわち、前記連結部材４５の中央部分４２は、前方又は後方から見た場合、前記前側弾性平板１２の張り出し形状後辺１２aと後側弾性平板１３の張り出し形状前辺１３aに沿った形状を呈する。よって、前記中央部分４２には、折曲げ水平面部１５aと、該折曲げ水平面部１５aの両端から連続する左右の折曲げ傾斜面部１５b、１５cからなるベルト状ライン部分４６が形成される。
【００７６】
そして、このベルト状ライン部分４６には、次のようにして、保持・解除機構２７が設けられている。
【００７７】
すなわち、前記ベルト状ライン部分４６における前記連結部材４５の中央部分４２には、前記実施の形態１と同様に機能する繋留用紐体２３と、左右の通し孔２４a、２４bと、端止め部材２５と、案内部材２６と、保持・解除機構２７が設けられている。
【００７８】
前記の通りあるので、この実施の形態２によれば、前記連結部材４５の長手方向の中央部分４２により、完成品にはベルト状ライン部分４６が形成されるので、該ベルト状ライン部分４６をして堅牢性及び美粧性を高めることができ、かつ前記保持・解除機構２７、ハンモックの所謂納まりを良くすることができる。
【００７９】
しかも、たとえばベルト状ライン部分４６に前記保持・解除機構２７を装備したのち、前記連結部材４５の両側に前記前側弾性平板１２の後辺部１２aを止着する工程、及び後側弾性平板１３の前辺部１３aを止着する工程を行って完成品を得るというようなことが可能になるから、より製造の簡易化、生産性の向上、製造コストの低減化等を図れる。
【００８０】
[発明の実施の形態３]
【００８１】
以下、この発明の実施の形態３について説明する。
【００８２】
図１４乃至図１６は、この発明の実施の形態３を示す。
【００８３】
この発明の実施の形態３は、要するに、符号４７で示す展開状態保持手段の構成が、前記実施の形態１と異なっているものであり、他は同様であるので、同一の部位には同じ符号を付し、説明は省略する。
【００８４】
この展開状態保持手段４７は、前記前側弾性平板１２及び前記後側弾性平板１３における展開状態時に側頭に対面する個所２１ａ，２１ｂを相互に前記展開状態に繋留するための１本の繋留用紐体４８を有し、この繋留用紐体４８を掛け回すための左側の前後通し孔４９a、４９bと、右側の前後通し孔５０a、５０bと、左右一対の紐通し部材５１a、５１bにより構成されている。
【００８５】
前記左側の前後通し孔４９a、４９bは、前記前側弾性平板１２及び前記後側弾性平板１３に前記左の折曲げ傾斜部１５bの前後で対称する配置で設けられ、又前記右側の前後通し孔５０a、５０bは、前記前側弾性平板１２及び前記後側弾性平板１３に前記右の折曲げ傾斜部１５cの前後で対称する配置で設けられている。
【００８６】
又、紐通し部材５１a、５１bは、各々抜止め用の膨大頭部５３a、５３bと紐体連結用の輪状部５４a、５４bとをもつ構成にされて、前記左右の折曲げ傾斜部１５b、１５cの上端寄り個所に取り付けられている。なお、この前紐通し部材５１a、５１bは、合成樹脂材料例えば、ポリプロピンである。
【００８７】
すなわち、前記繋留用紐体４８は、前記左右の前後側通し孔４９a、４９b、５０a、５０b及び前記左右輪状部５４a、５４bに次の順で挿通され、前記折畳み式帽子本体１０に装備されている。
【００８８】
先ず、繋留用紐体４８の一端４８aを右の前側通し孔５０aに外から内側に向かって通し、又同繋留用紐体４８の他端４８bを左の後側通し孔５０bに外から内側に向かって通したのち、これら両端を合流させて該合流状態のまま右側の輪状部５４b内、左側の輪状部５４a内に該記載の順に通し、その後に前記一端４８aを左の前側通し孔４９aに内側から外側に向かって通し、次に右の後側通し孔４９ｂに外側から内側に向かって通し、そこで前記一端４８aと前記他端他端４８bとを相互に結び止める。
【００８９】
前記のようにして前記折畳み式帽子本体１０に装備された繋留用紐体４８は、次のようにされて該折畳み式帽子本体１０を展開状態に保持する。
【００９０】
すなわち、前記繋留用紐体４８は、先ず、前記前側弾性平板１２及び前記後側弾性平板１３に展開操作が加えられると、これら前側弾性平板１２及び前記後側弾性平板１３の展開動作に伴って動いて、該繋留用紐体４８における前記左の前後側通し孔４９a、４９bから外に出ている左側外出し部分５５a及び右の前後側通し孔５０a、５０bから外に出ている右側外出し部分５５bは、図１４の拡大部EXにおいて実線線で示されているように、前記左右の折曲げ傾斜部１５b、１５cの下端より下側に存する位置で停止されるから、引き続き、この停止を確認されたところで前記展開状態を保持しながら前記左側外出し部分５５a及び前記右側外出し部分５５bを、図１４の拡大部EXにおいて仮想線で示されている位置、すなわち前記前側弾性平板１２及び前記後側弾性平板１３により形成された前記左右の折曲げ傾斜部１５b、１５cの下端角部の外側を経て同左右の折曲げ傾斜部１５b、１５cの外面に位置させて前記展開操作を止める。すると、前記左側外出し部分５５a及び前記右側外出し部分５５bは、前記左右の折曲げ傾斜部１５b、１５cの外面に位置した個所で、同外面により規制されて閂を掛けたと同じようなブロッキング機能を果して前記折畳み式帽子本体１０の展開状態を保持する。
【００９１】
因みに、前記繋留用紐体４８は、前記左側外出し部分５５a及び前記右側外出し部分５５bが、前記左右の折曲げ傾斜部１５b、１５cの下端より下側に戻されたとき（図１４の拡大部EXにおいて実線で示すようにされたとき）には、前記ブロッキング機能が解除される。すなわち、前記折畳み式帽子本体１０の展開作動及び折畳み作動は許容される。
【００９２】
なお、図１７は、前記左側外出し部分５５a及び前記右側外出し部分５５bに回転体５６a、５６bを遊転自在に被せ、これにより、前記左右の折曲げ傾斜部１５b、１５cの下端角部の外側を経て同左右の折曲げ傾斜部１５b、１５cの外面の位置に移動する操作、及び戻す操作を、より容易にしてある別異の実施の形態を示す。又、前記左側外出し部分５５a及び前記右側外出し部分５５bに手指で摘めるツマミ部分を設けても同様に、より容易にすることができる。
【００９３】
[発明の実施の形態４]
【００９４】
以下、この発明の実施の形態４について説明する。
【００９５】
図１８及び図１９は、この発明の実施の形態４を示す。
【００９６】
この発明の実施の形態４は、要するに、符号５７で示す展開状態保持手段の構成が、前記実施の形態１と異なっているものであり、他は同様であるので、同一の部位には同じ符号を付し、説明は省略する。
【００９７】
この展開状態保持手段５７は、前記前側弾性平板１２及び前記後側弾性平板１３における展開状態時に側頭に対面する個所２１ａ，２１ｂを相互に前記展開状態に繋留するための２本の繋留用紐体５８、５９を有し、これら各繋留用紐体５８，５９を掛け回すための左右一対の上側紐通し部材６０a、６０b及び左右一対の下側紐通し部材６１a、６１bと、該各繋留用紐体５８、５９の固定側端及び移動側端を繋留するための左右の固定側繋留部材６２a、６２b及び左右の移動側繋留部材６３a、６３bとにより構成されている。
【００９８】
すなわち、この展開状態保持手段５７は、前記２本の繋留用紐体５８、５９を前記左右２対の紐通し部材６０a、６０b、６１a、６１ｂへの掛け回し方及び繋留部材６２a、６２b、６３a、６３bへの繋留の仕方を次のようにすることで擦り合い個所６４が設けられ、該擦り合い個所６４に生ずる摩擦力で前記繋留用紐５８、５９が緊張状態に係止され、又前記前側弾性平板１２及び前記後側弾性平板１３の折畳み作動で前記係止が解除されるように構成されている。
【００９９】
前記上側紐通し部材６０a、６０bは、左右の折曲げ傾斜部１５b、１５cの上端寄り個所に取り付けられている。又、下側紐通し部材６１a、６１ｂは、前記前側弾性平板１２における前記左右の折曲げ傾斜部１５b、１５cの下端寄り個所から所定の距離だけ離れた位置に取り付けられている。
【０１００】
更に、左右の固定側繋留部材６２a、６２bは、左右の折曲げ傾斜部１５b、１５cの略中間個所に取り付けられている。又、左右の移動側繋留部材６３a、６３bは、前記後側弾性平板１３における前記左右の折曲げ傾斜部１５b、１５cの下端寄り個所から所定の距離だけ離れた位置に取り付けられている。なお、前記上・下側紐通し部材６０a、６０b、６１a、６１ｂ及び固定・移動側繋留部材６２a、６２b、６３a、６３bは、合成樹脂材料例えば、ポリプロピンである。
【０１０１】
前記左の繋留用紐体５８は、二つ折りにされて該二つ折りのままで前記左の上側紐通し部材６０aに通されている。その後に該繋留用紐体５８の固定側端が左の固定側繋留部材６２aに繋留されている。又同繋留用紐体５８の移動側端が左の移動側繋留部材６３aに繋留されている。
【０１０２】
前記右の繋留用紐体５９は、前記左の繋留用紐体５８の二つ折りの環の中に通して交差状態にされてから、二つ折りにされて該二つ折りのままで前記右の上側紐通し部材６０bに通されている。その後に該繋留用紐体５９の固定側端が右の固定側繋留部材６２bに繋留されている。又同繋留用紐体５９の移動側端が右の移動側繋留部材６３bに繋留されている。
【０１０３】
したがって、前記左右の繋留用紐体５８、５９における交差状態個所６５と、左の上側紐通し部材６０aから右の上側紐通し部材６０bの間に形成された繋留用紐体５８、５９の二つ折り個所６６a、６６bと、前記左右の繋留用紐体５８、５９が左右の上側紐通し部材６８a、６８bに接する接触個所６７a、６７bと、前記左右の繋留用紐体５８、５９が左右の下側紐通し部材６１a、６１bに接する接触個所６８a、６８bには、前記擦り合い個所６４として機能する部分が形成される。
【０１０４】
この擦り合い個所６４は、前記前側弾性平板１２及び前記後側弾性平板１３に展開操作力が加えられて繋留用紐体５８、５９が前記緊張の状態にされると、その摩擦力で保持機能を果して該緊張状態を保持する。要するに、前記前側弾性平板１２及び前記後側弾性平板１３が展開の状態にされて手放されることで、繋留用紐体５８、５９の張力により、前記折畳み式帽子本体１０が展開状態に保持される。又前記前側弾性平板１２及び前記後側弾性平板１３に折畳み操作力が加えられたときには、該折畳み操作力により前記摩擦力が減力されて前記保持が機能しなくなり、結果として、前記折畳み式帽子本体１０は、折畳み状態を呈することになる。
【０１０５】
すなわち、前記展開状態保持手段５７を展開保持の状態にする操作、又はその解除操作をする使用者は、展開に要する力、又は折畳みに要する力を加えて手放すだけの操作、つまり掛けたり外したりする等の煩わしい操作を行うこと無しで前記各操作ができる便利さがある。
【０１０６】
[発明の実施の形態５]
【０１０７】
以下、この発明の実施の形態５について説明する。
【０１０８】
図２０乃至図３０は、この発明の実施の形態５を示す。
【０１０９】
この発明の実施の形態５は、上記各実施の形態とは異なる展開状態保持手段が設けられると共に、上記各実施の形態とは異なる内装部材９０が帽子内部に配設されている。
【０１１０】
詳しくは、展開状態保持手段は、帽子内部に折曲げ部１５に沿って配設される略長板形状の係止部材７１を有し、折曲げ部１５の両側頭に対面する個所を、互いに接近させた状態で、その係止部材７１の両端部を、その折曲げ部１５の両側頭に対面する個所に係止させて、前側弾性平板１２と後側弾性平板１３とを平板状態から弾性力に抗して湾曲状態として折曲げ部１５を介して展開状態とするように構成されている。
【０１１１】
その係止部材７１は、合成樹脂製（例えばポリカーボネート）で湾曲した形状に形成され、中間部７１ａが所定の強度を確保するように所定の上下方向の高さを有し、この中間部７１ａが折曲げ部１５の折曲げ水平部１５ａに複数のリベット７２により固定され、両端部には、外方に折れ曲がる弾性片部７１ｂが形成され、この弾性片部７１ｂが変形部７１ｃを中心に弾性変形可能となっている。
【０１１２】
そして、図２６に示すように、この弾性片部７１ｂが挿入される開口部１５ｄが、折曲げ部１５の折曲げ傾斜部１５ｂの展開状態時に側頭に対面する個所に形成されると共に、この弾性片部７１ｂの先端部７１ｄの下部側に、「被係止部」である被係止ピン７３に係止される係止部７１ｅが形成されている。また、この弾性片部７１ｂの先端部７１ｄの上部には、図２６（ａ）中矢印方向に押圧されることにより、変形部７１ｃを中心に弾性変形されて、係止部７１ｅが被係止ピン７３から解除される押圧部７１ｆが形成されている。
【０１１３】
また、この折曲げ部１５には、押圧部７１ｆの上方を覆うように、庇部１５ｅが形成されている（図２６（ａ）等参照）。
【０１１４】
そして、図２６（ｂ）に示す折り畳み状態から矢印方向に、帽子外部から折曲げ傾斜部１５ｂに外力を作用させて、図２６（ａ）に示す展開状態としたときに、被係止ピン７３に対して弾性片部７１ｂの先端部７１ｄの外面部が摺動し、係止部７１ｅが被係止ピン７３を乗り越えて係止するように構成されている。
【０１１５】
一方、帽子内部にハンモック９１及びヘッドバンド９２を有する内装部材９０が配設されてる。
【０１１６】
そのハンモック９１は、頭頂部を抑える頭頂抑え部９１ａと、この頭頂抑え部９１ａから複数延長された計４本の略帯状の延長片部９１ｂとを有し、この各延長片部９１ｂの先端部に設けられた取付部９１ｃが前側弾性平板１２及び後側弾性平板１３に取付リベット９１ｄにより回動自在に取り付けられている。
【０１１７】
それら取付部９１ｃは、合成樹脂で形成されて所定の剛性を有し、他の部分が繊維により帯状に成形されて柔軟性を有している。
【０１１８】
また、頭頂抑え部９１ａは、柔軟性を有する合成樹脂（ビニールレザー）から形成されている。
【０１１９】
一方、ヘッドバンド９２は、頭部前側を押さえる合成樹脂製の所定の剛性を有する前側バンド部９３と、頭部後側を押さえる合成樹脂製の所定の剛性を有する後側バンド部９４とが、折曲げ部１５に対応した位置に設けられた柔軟性を有する連結部９５を介して折り畳み可能に設けられている。
【０１２０】
また、その前側バンド部９３及び後側バンド部９４がそれぞれ延長片部９１ｂの取付部９１ｃに連結リベット９６を介して回動自在に設けられている。
【０１２１】
さらにまた、前側バンド部９３は、長さ調整機構９７により、長さ調整自在に設けられ、回転されることにより長さ調整を行うダイヤル部９８が、前面に設けられている。このダイヤル部９８は、展開された状態の前側弾性平板１２との間に所定幅の間隙が設けられ、この間隙を介して、前側バンド部９３の前側からダイヤル部９８を操作できるように構成されている。
【０１２２】
この長さ調整機構９７は、その前側バンド部９３が左右に一対分割された分割部９３ａが設けられると共に、各分割部９３ａの長孔部９３ｂにそれぞれラック部９３ｃが形成され、ダイヤル部９８を回転させると、ダイヤル部９８に形成された前記ラック部９３ｃに噛合する図示省略のピニオンが回転することにより、図３０（ａ），（ｂ）に示すように、前側バンド部９３の長さが伸縮するようになっている。そして、ダイヤル部９８の回転を任意の位置で停止させることにより、図示省略のロック機構により、両分割部９３ａは、その長さでロックされ、伸長も、短縮もしないように構成されている。
【０１２３】
このようなものにあっては、折畳み状態から展開させる場合には、図２６（ｂ）に示す折り畳み状態から矢印方向に、帽子外部から図中矢印方向に外力を作用させて、展開状態としたときに、被係止ピン７３に対して弾性片部７１ｂの先端部７１ｄの外面部が摺動し、係止部７１ｅが被係止ピン７３を乗り越えて係止する。この係止により、展開状態が維持される（図２６（ａ）参照）。
【０１２４】
してみれば、その折曲げ部１５の両側頭に対面する個所を接近させる方向に外力を作用させるだけで、極めて簡単に展開状態とすることができるため、操作性が良好で、地震等の災害時に瞬時に被ることができ、落下物等から頭部を保護することができる。
【０１２５】
また、この展開状態で弾性片部７１ｂが、折曲げ部１５の開口部１５ｄより外部に突出するが、この弾性片部７１ｂは、庇部１５ｅで覆われているため、引っ掛かり等を防止できる。
【０１２６】
さらに、所定の強度を有する係止部材７１を折曲げ部１５の折曲げ水平部１５ａに固定することにより、落下物に対する強度を向上させることができる。
【０１２７】
さらにまた、この展開状態から折畳む場合には、その弾性片部７１ｂの押圧部７１ｆを図２６（ａ）中矢印方向に押圧する。これにより、被係止ピン７３から係止部７１ｅを外すことにより、前側弾性平板１２及び後側弾性平板１３の弾性力により、それらが平面状態となり、弾性片部７１ｂが開口部１５ｄを介して帽子内部に引っ込むこととなる（図２６（ｂ）参照）。
【０１２８】
このようなものにあっては、被係止ピン７３と係止部７１ｅとの係止状態を、簡単に解除できるため、極めて容易に折り畳むことができる。この折り畳んだ状態では、収納性が極めて良好である。
【０１２９】
一方、内装部材９０は、折畳んだ状態と展開した状態とでは、所定の剛性を有する前側バンド部９３又は後側バンド部９４のそれぞれは真っ直ぐな状態又は湾曲した状態となるため、各バンド部９３，９４の各連結リベット９６間の距離Ｌが変化するが、ハンモック９１の取付部９１ｃが取付リベット９１ｄを中心に回動するため、この延長片部９１ｂの中間部に取り付けられている各バンド部９３，９４の連結リベット９６の距離Ｌが変化しても、その回動により追従することができる。図２６（ａ）に示す展開した状態、図２６（ｂ）に示す折り畳んだ状態の何れにおいても、ヘッドバンド９２の展開、折り畳みを可能にできる。
【０１３０】
また、ダイヤル部９８を操作して、ヘッドバンド９２の周長を調整する場合でも、ハンモック９１の取付部９１ｃが取付リベット９１ｄを中心に回動するため、前側バンド部９３の長さ調整を行うことができる。
【０１３１】
また、そのヘッドバンド９２は、前側バンド部９３及び後側バンド部９４が所定の剛性を有しているため、頭部に装着した状態、帽子がしっかり固定できる。
【０１３２】
さらに、その所定の剛性を有する前側バンド部９３及び後側バンド部９４は、折曲げ部１５に対応した位置に設けられた柔軟性を有する連結部９５が設けられているため、ヘッドバンド９２を良好に折り畳むことができる。
【０１３３】
しかも、それら前側バンド部９３及び後側バンド部９４は、長板状を呈しているため、折り畳んでも嵩張ることなく、帽子を薄型に折り畳むことができる。
【０１３４】
さらにまた、頭の大きさに合わせて、ヘッドバンド９２の周長を調整するには、前側バンド部９３の前側からダイヤル部９８を操作して、調整できるため、操作性が極めて良好である。ちなみに、通常のヘルメットでは、ヘッドバンドの前側部位とヘルメット本体（帽体）の部分との間に隙間が殆どないため、そのダイヤル部を操作するための空間を確保することは不可能である。これに対して、この発明では、展開した状態では、前側弾性平板１２全体が湾曲して庇のような形状を呈するため、ヘッドバンド９２のダイヤル部９８の前側空間を確保することができる。
【０１３５】
他の構成は、実施の形態１と同様であるので説明を省略する。
【０１３６】
[発明の実施の形態６]
【０１３７】
以下、この発明の実施の形態６について説明する。
【０１３８】
図３１には、この発明の実施の形態６を示す。
【０１３９】
上記実施の形態６では、係止部７１ｅ材７１の係止部７１ｅが、被係止ピン７３に係止されるようになっていたが、この発明の実施の形態６では、被係止ピン７３の代わりに、開口部１５ｄの下縁部に形成された被係止部１５ｆに係止されるようになっている。この場合には、折曲げ部１５は強度の高い材質を用いることにより、係止強度を確保する必要がある。
【０１４０】
このようにすれば、別途、被係止ピン７３を配設する必要が無く、構造を簡単にできる。
【０１４１】
他の構成及び作用は、実施の形態１と同様であるので、説明を省略する。
【０１４２】
[発明の実施の形態７]
【０１４３】
以下、この発明の実施の形態７について説明する。
【０１４４】
図３２には、この発明の実施の形態７を示す。
【０１４５】
上記実施の形態５，６では、係止部材７１の係止部７１ｅが、弾性片部７１ｂの下面側に形成されているが、これに限らず、係止部７１ｅを弾性片部７１ｂの上面側に形成され、この係止部７１ｅが、折曲げ部１５の開口部１５ｄの上縁部に形成された被係止部１５ｆに係止されるようになっている。
【０１４６】
これによれば、図中上方から矢印方向に力を加えることにより、係止部７１ｅが開口部１５ｄの被係止部１５ｆから離脱させて係止状態を解除させることができる。
【０１４７】
他の構成及び作用は、実施の形態１と同様であるので、説明を省略する。
【０１４８】
なお、本発明は、前記実施の形態においては、前側弾性平板１２の後辺及び後側弾性平板１３の前辺を帯状の連結部材１８、４５により連結して折曲げ部１５を構成しているが、これに限らず例えば、前側弾性平板１２の後辺と後側弾性平板１３の前辺との間にこれら前・後辺と一体に折曲可能な薄肉部を成形してこれら両辺を連結状態にすることで、すなわち前記薄肉部を折曲げ部１５とすることで前側弾性平板１２及び後側弾性平板１３を、連結部９５材を使わない一体の構成にしたり、前側弾性平板１２の後辺及び後側弾性平板１３の前辺に沿って多数の小孔を列状に設けてこれら小孔に絡げる要領で皮紐、太い糸等連結部９５材を通すことにより折曲げ部１５を構成したり、又、前側弾性平板１２の後辺と後側弾性平板１３の前辺とを縫製により連結して折曲げ部１５を構成することができる。
【図面の簡単な説明】
【０１４９】
【図１】実施の形態１を示す分解斜視図である。
【図２】同実施の形態１を折畳みの状態で示す左側面図である。
【図３】同実施の形態１を折畳みの状態で示す正面図である。
【図４】同実施の形態１を展開の状態で示す正面図である。
【図５】同実施の形態１を展開の状態で示す左側面図である。
【図６】同実施の形態１を展開の状態で示す右側面図である。
【図７】同図４ＡーＡ線に沿う断面図である。
【図８】同図５ＢーＢ線に沿う断面図である。
【図９】実施の形態２を示す分解斜視図である。
【図１０】同実施の形態２を折畳みの状態で示す正面図である。
【図１１】同実施の形態２を折畳みの状態で示す左側面図である。
【図１２】同実施の形態２を展開の状態で示す一部切截正面図である。
【図１３】同実施の形態２を展開の状態で示す一部切截左側面図である。
【図１４】実施の形態３を展開の状態で示す一部切截正面図である。
【図１５】同実施の形態３を展開の状態で示す左側面図である。
【図１６】同実施の形態３を展開の状態で示す底面図である。
【図１７】同実施の形態３の別異の形態を展開の状態で示す一部切截正面図である。
【図１８】実施の形態４を展開の状態で示す左側面図である。
【図１９】同実施の形態４を展開の状態で示す底面図である。
【図２０】実施の形態５を示す展開状態に斜め下方から見た斜視図である。
【図２１】同実施の形態５を示す展開状態の底面図である。
【図２２】同実施の形態５を示す展開の状態の正面図である。
【図２３】同実施の形態５を示す展開の状態の側面図である。
【図２４】同実施の形態５を示す展開の状態の平面図である。
【図２５】同実施の形態５を示す展開の状態の内装部材を取り外した状態の底面図である。
【図２６】同実施の形態５を示す幅方向に沿う横断面図で、（ａ）は展開状態、（ｂ）は折畳んだ状態を示す断面図である。
【図２７】同実施の形態５を示す展開の状態の前後方向に沿う断面図である。
【図２８】同実施の形態５を示す展開の状態の斜め上方から見た斜視図である。
【図２９】同実施の形態５を示す折り畳んだ状態を示す斜視図である。
【図３０】同実施の形態５を示す前側バンド部を示す正面図で、（ａ）は伸長させた状態、（ｂ）は短縮させた状態を示す図である。
【図３１】実施の形態６を示す展開の状態の断面図である。
【図３２】実施の形態７を示す展開の状態の断面図である。
【符号の説明】
【０１５０】
１０  折畳み式帽子本体
１２  前側弾性平板
１３  後側弾性平板
１５  折曲げ部
１５a  折曲げ水平部
１５b，１５c  折曲げ傾斜部
１８，４５  連結部材
２０，４７，５７  展開状態保持手段
２３，４８，５８，５９  繋留用紐体（繋留体）
２７  保持・解除機構
３２  レバー
６４  擦り合い個所
７１  係止部材
９０  内装部材
９１  ハンモック
９２  ヘッドバンド
９３  前側バンド部
９４  後側バンド部
９５  連結部
９７  連結リベット
９７  長さ調整機構
９８  ダイヤル部
【図１】
2008255548.tif 000003
【図２】
2008255548.tif 000004
【図３】
2008255548.tif 000005
【図４】
2008255548.tif 000006
【図５】
2008255548.tif 000007
【図６】
2008255548.tif 000008
【図７】
2008255548.tif 000009
【図８】
2008255548.tif 000010
【図９】
2008255548.tif 000011
【図１０】
2008255548.tif 000012
【図１１】
2008255548.tif 000013
【図１２】
2008255548.tif 000014
【図１３】
2008255548.tif 000015
【図１４】
2008255548.tif 000016
【図１５】
2008255548.tif 000017
【図１６】
2008255548.tif 000018
【図１７】
2008255548.tif 000019
【図１８】
2008255548.tif 000020
【図１９】
2008255548.tif 000021
【図２０】
2008255548.tif 000022
【図２１】
2008255548.tif 000023
【図２２】
2008255548.tif 000024
【図２３】
2008255548.tif 000025
【図２４】
2008255548.tif 000026
【図２５】
2008255548.tif 000027
【図２６】
2008255548.tif 000028
【図２７】
2008255548.tif 000029
【図２８】
2008255548.tif 000030
【図２９】
2008255548.tif 000031
【図３０】
2008255548.tif 000032
【図３１】
2008255548.tif 000033
【図３２】
2008255548.tif 000034